(57)【要約】      （修正有）【課題】多重密封保温構造および着脱容易なガラス内瓶を有する魔法瓶を提供する。【解決手段】当該魔法瓶は瓶蓋２、固定蓋５、遮水シート６、シールリング４、ガラス内瓶３、ボディ１を含む。ボディの開口の外面と内面にボディ開口外と開口内ネジ山がそれぞれ成形される。ボディ開口外ネジ山と開口内ネジ山は瓶蓋の内面に成形された瓶蓋ネジ山とガラス内瓶の外面に成形されたガラス内瓶ネジ山とそれぞれネジ係合する。シールリングはガラス内瓶の外面に覆い被せられる。ボディがガラス内瓶に係合して接続されるとき、シールリングの下面がボディの開口エッジに接触し、固定蓋が瓶蓋の内側天井部に係合して接続され、遮水シートが固定蓋の外部に覆い被せられる。ボディが瓶蓋に係合して接続されるとき、遮水シートがガラス内瓶の開口と係合し密封する。これにより、魔法瓶は良好な密封性および保温性能を有し、長持ちして確実になる。【選択図】図２
0003213261.tif 000002
【実用新案登録請求の範囲】
【請求項１】
瓶蓋（２）と、固定蓋（５）と、遮水シート（６）と、シールリング（４）と、ガラス内瓶（３）と、ボディ（１）とを備える、多重密封保温構造および着脱容易なガラス内瓶を有する魔法瓶であって、
前記ボディ（１）の開口の外面と内面とには、ボディ開口外ネジ山（１１）およびボディ開口内ネジ山（１２）がそれぞれ成形され、前記ボディ開口外ネジ山（１１）およびボディ開口内ネジ山（１２）は、瓶蓋（２）の内面に成形された瓶蓋ネジ山（２２）およびガラス内瓶（３）の外面に成形されたガラス内瓶ネジ山（３１）とそれぞれネジ係合し、前記シールリング（４）は、ガラス内瓶（３）の外面に覆い被せられ、
前記ボディ（１）がガラス内瓶（３）に係合して接続されるとき、シールリング（４）の下面がボディ（１）の開口エッジに接触し、前記固定蓋（５）が瓶蓋（２）の内側天井部に係合して接続され、前記遮水シート（６）が固定蓋（５）の外部に覆い被せられ、
前記ボディ（１）が瓶蓋（２）に係合して接続されるとき、遮水シート（６）がガラス内瓶（３）の開口と係合して密封することを特徴とする多重密封保温構造および着脱容易なガラス内瓶を有する魔法瓶。
【請求項２】
前記瓶蓋（２）の内側天井部に固定ボス（２１）が成形され、当該固定ボス（２１）は、固定蓋（５）に開口された固定係止溝（５１）に係合して接続されることを特徴とする請求項１に記載の多重密封保温構造および着脱容易なガラス内瓶を有する魔法瓶。
【請求項３】
前記遮水シート（６）の外面には、複数本のリブ（６１）が成形されることを特徴とする請求項１に記載の多重密封保温構造および着脱容易なガラス内瓶を有する魔法瓶。
【請求項４】
前記遮水シート（６）の内面には、固定蓋（５）のトップと係合する係合部（６２）が成形されることを特徴とする請求項１に記載の多重密封保温構造および着脱容易なガラス内瓶を有する魔法瓶。
【請求項５】
前記ボディ（１）内に真空中空挟持層が設けられることを特徴とする請求項１に記載の多重密封保温構造および着脱容易なガラス内瓶を有する魔法瓶。
【考案の詳細な説明】
【技術分野】
【０００１】
本考案は、魔法瓶の技術分野に関し、特に多重密封保温構造および着脱容易なガラス内瓶を有する魔法瓶に関する。
【背景技術】
【０００２】
現在市販されている魔法瓶は、主にボディおよび瓶蓋を備え、ボディと瓶蓋との間のネジ接続により、密封した保温空間を形成する。しかし、従来の魔法瓶の質にばらつきがあり、保温の効果を達成できない場合が多いとともに、ボディ内の熱の流失が速すぎて密封性が悪い等の問題も存在する。次に、従来の魔法瓶が保温性能を高めるために、ボディの内外壁の間を溶接により接続したが、実際の使用中に、一旦内壁に損傷が発生すると、魔法瓶が保温性能を失ってしまい、且つ内壁の交換による魔法瓶の継続使用も不可能である。したがって、交換または取り除き可能なガラス内瓶を有する、密封性がより良好で、保温性能が一層向上して、より確実な魔法瓶が必要になる。
【考案の概要】
【考案が解決しようとする課題】
【０００３】
本考案の目的は、従来技術の不足を解消すべく、多重密封保温構造および着脱容易なガラス内瓶を有する魔法瓶を提供することにある。
【課題を解決するための手段】
【０００４】
上記目的を果たすべく、本考案は、多重密封保温構造および着脱容易なガラス内瓶を有する魔法瓶を提供する。当該魔法瓶は、瓶蓋と、固定蓋と、遮水シートと、シールリングと、ガラス内瓶と、ボディとを備える。前記ボディの開口の外面と内面とには、ボディ開口外ネジ山およびボディ開口内ネジ山がそれぞれ成形される。前記ボディ開口外ネジ山およびボディ開口内ネジ山は、瓶蓋の内面に成形された瓶蓋ネジ山およびガラス内瓶の外面に成形されたガラス内瓶ネジ山とそれぞれネジ係合する。前記シールリングは、ガラス内瓶の外面に覆い被せられる。前記ボディがガラス内瓶に係合して接続されるとき、シールリングの下面がボディの開口エッジに接触し、前記固定蓋が瓶蓋の内側天井部に係合して接続され、前記遮水シートが固定蓋の外部に覆い被せられる。前記ボディが瓶蓋に係合して接続されるとき、遮水シートがガラス内瓶の開口と係合して密封する。
【０００５】
さらに、前記瓶蓋の内側天井部に固定ボスが成形され、当該固定ボスは、固定蓋に開口された固定係止溝に係合して接続される。
【０００６】
さらに、前記遮水シートの外面には、複数本のリブが成形される。
【０００７】
さらに、前記遮水シートの内面には、固定蓋のトップと係合する係合部が成形される。
【０００８】
さらに、前記ボディ内に真空中空挟持層が設けられる。
【考案の効果】
【０００９】
本考案は、上記解決手段を講じることにより、下記の有利な作用効果を奏する。瓶蓋、固定蓋、遮水シート、シールリング、ガラス内瓶およびボディにより、魔法瓶の密封構造をなす。ガラス内瓶とボディは、ネジ山により接続固定され、且つシールリングを上下に押圧することにより、ガラス内瓶の交換容易性、およびガラス内瓶とボディの間の密封効果を達成する。ガラス内瓶の開口が遮水シートに係合することで、漏水防止および密封の効果を達成する。それとともに、瓶蓋、固定蓋と遮水シートの３つの部品の間の係合接続、およびボディの真空中空挟持層により、ガラス内瓶内の熱と外部の空気との熱交換を遮断し、魔法瓶の保温性能をさらに高める。そして、ガラス内瓶の交換および取り除きが容易であるため、魔法瓶がより長持ちし、ガラス内瓶を取り除いてボディを直接使用することも可能になる。
【図面の簡単な説明】
【００１０】
【図１】本考案の魔法瓶の構造模式図である。
【図２】本考案の魔法瓶の断面図である。
【図３】本考案のボディの構造模式図である。
【図４】本考案の瓶蓋の構造模式図である。
【図５】図４の断面図である。
【図６】本考案のガラス内瓶の構造模式図である。
【図７】本考案のシールリングの構造模式図である。
【図８】本考案の固定蓋の構造模式図である。
【図９】図８の断面図である。
【図１０】本考案の遮水シートの構造模式図である。
【図１１】図１０の断面図である。
【考案を実施するための形態】
【００１１】
本考案について、具体のな実施例に合わせてさらに説明する。
【００１２】
図１から図１１に示すように、本実施例では、多重密封保温構造および着脱容易なガラス内瓶を有する魔法瓶は、瓶蓋２、固定蓋５、遮水シート６、シールリング４、ガラス内瓶３、ボディ１を備える。ボディ１の開口の外面と内面とには、ボディ開口外ネジ山１１およびボディ開口内ネジ山１２がそれぞれ成形される。ボディ開口外ネジ山１１およびボディ開口内ネジ山１２は、瓶蓋２の内面に成形された瓶蓋ネジ山２２およびガラス内瓶３の外面に成形されたガラス内瓶ネジ山３１とそれぞれネジ係合する。シールリング４は、ガラス内瓶３の外面に覆い被せられる。ボディ１がガラス内瓶３に係合して接続されるとき、シールリング４の下面がボディ１の開口エッジに接触し、ボディ１とガラス内瓶３とがシールリング４を上下に押圧することにより密封効果を達成する。瓶蓋２の内側天井部に固定ボス２１が成形される。固定蓋５には、固定ボス２１と係合する固定係止溝５１が開口される。遮水シート６は、固定蓋５の外部に覆い被せられる。遮水シート６の内面には、固定蓋５のトップと係合する係合部６２が成形され、係合部６２の設置により、遮水シート６がより強固に固定蓋５と接続可能であり、遮水シート６の落下による密封性能の低下が回避される。遮水シート６の外面に複数本のリブ６１が成形される。ボディ１が瓶蓋２と係合して接続された後、遮水シート６は、ガラス内瓶３の開口内面と係合する。遮水シート６は、漏水を防止し、且つガラス内瓶３とともに密封効果を達成する。ガラス内瓶３の開口内面と接触する複数本のリブ６１を設けることにより、遮水シート６とガラス内瓶３の間の密封性をさらに高める。ボディ１内に中空挟持層が設けられる。ガラス内瓶３がボディ１内に置かれたとき、ガラス内瓶３内部の液体の熱がボディ１を介してボディ１外まで伝導して空気と熱交換する量が減少され、熱の損失が低減される。上記部品の構成および係合使用により、魔法瓶が多重密封保温構造を有することになり、魔法瓶の保温性能、信頼性および密封性がさらに向上する。次に、ガラス内瓶３が着脱容易であるため、魔法瓶がガラス内瓶３を交換または取り除くことが可能になり、魔法瓶は、より長持ちする。それとともに、ガラス内瓶３が壊れても交換されていないとき、あるいは自身の需要に応じてガラス内瓶３を使用する必要がなくなるとき、ガラス内瓶３を取り除いてボディ１を直接使用することができる。
【００１３】
上記した実施例は、単なる本考案の好適な実施例に過ぎず、本考案に対するなんらかの制限にならない。当業者が本考案の解決手段の範囲を逸脱せずに上記技術の内容を利用して本考案の解決手段に対してなした可能な変更、修飾あるいは補正は、何れも本考案の等価実施例である。故に、本考案の解決手段を逸脱しない内容も、本考案の思想に依拠する等同・等価変化も、本考案の保護範囲内に含まれる。
【符号の説明】
【００１４】
１  ボディ、１１  ボディ開口外ネジ山、１２  ボディ開口内ネジ山、２  瓶蓋、２１  固定ボス、２２  瓶蓋ネジ山、３  ガラス内瓶、３１  ガラス内瓶ネジ山、４  シールリング、５  固定蓋、５１  固定係止溝、６  遮水シート、６１  リブ、６２  係合部。
【図１】
0003213261.tif 000003
【図２】
0003213261.tif 000004
【図３】
0003213261.tif 000005
【図４】
0003213261.tif 000006
【図５】
0003213261.tif 000007
【図６】
0003213261.tif 000008
【図７】
0003213261.tif 000009
【図８】
0003213261.tif 000010
【図９】
0003213261.tif 000011
【図１０】
0003213261.tif 000012
【図１１】
0003213261.tif 000013